(57)【要約】【課題】  レンズ保持部、特にレンズの左右両端縁を保持する側方保持部でのレンズ外観不良の発生を可及的に少なくすることができるレンズ保持治具を提供する。【解決手段】  レンズ保持治具１は、レンズＬの左右両端縁を保持する側方保持部４１，４２と、レンズＬの下側端縁を保持する下側保持部４３の少なくとも三箇所の保持部でレンズＬを保持して、レンズＬを液体中に浸漬する。側方保持部４１，４２は、レンズＬの端縁を保持するＶ字状保持部４０６と、Ｖ字状保持部４０６を支持しＶ字状保持部４０６から延伸する上下延伸部を有し、Ｖ字状保持部４０６から上下延伸部までが下方に向かうよう構成され、上下延伸部がレンズＬの下方に向かうに従いレンズＬのレンズ表面から離間している。【選択図】      図１
2006199387.tif 000002
【特許請求の範囲】
【請求項１】
端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、
前記側方保持部が、前記レンズの端縁を保持するＶ字状保持部と、前記Ｖ字状保持部を支持し前記Ｖ字状保持部から上下に延伸する上下延伸部とを有し、
前記Ｖ字状保持部から前記上下延伸部までが下方に向かうよう構成され、
前記上下延伸部が前記レンズの下方に向かうに従い、前記レンズのレンズ表面から離間することを特徴とするレンズ保持治具。
【請求項２】
請求項１に記載のレンズ保持治具において、
前記Ｖ字状保持部と前記上下延伸部とが、ワイヤを折曲して一体に形成されていることを特徴とするレンズ保持治具。
【請求項３】
請求項１に記載のレンズ保持治具において、
搬送治具に装着される搬送固定部と、前記搬送固定部に結合されている複数のアームにそれぞれ設けられている前記保持部で、一枚の前記レンズの端縁を支えて保持することを特徴とするレンズ保持治具。
【請求項４】
請求項３に記載のレンズ保持治具において、
前記レンズ保持部が、前記搬送固定部からコイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とするレンズ保持治具。
【請求項５】
端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、
前記下側保持部が、上端に前記レンズの端縁を支える切欠部を備え、上下方向に沿って配置されている支持板と、上下方向に沿って配置され、前記支持板と交差角度をもって一体化されている補助板とを備えることを特徴とするレンズ保持治具。
【発明の詳細な説明】
【技術分野】
【０００１】
本発明は、レンズをハードコート液等の処理液中に浸漬処理等するために用いられるレンズ保持治具に関する。
【背景技術】
【０００２】
プラスチック眼鏡レンズは、傷が付きやすいため、耐擦傷性を付与するハードコート膜を形成することが行われている。レンズにハードコート膜を形成する方法としては、一般的に両面が所定のレンズ面形状に加工されたレンズの表面にプライマー液およびハードコート液を塗布し、その後乾燥、硬化させる方法が用いられる。プライマー液は、レンズとハードコート膜との密着性向上、耐衝撃性向上等のため、ハードコート膜の仕様により塗布される。また、レンズにプライマー液およびハードコート液を塗布する方法としては、スピンコート法とディッピング法等が用いられるが、生産性の面からディッピング法が主流である。
【０００３】
従来のディッピング法は、まとめて数十枚程度のレンズが装着できるレンズ保持治具にレンズを装着し、処理液中にレンズ保持治具ごとレンズを浸漬し、所定時間経過後引き上げ、レンズ保持治具にレンズを装着したまま乾燥を行う方法が用いられている。
しかし、多数のレンズを装着するレンズ保持治具は、レンズ径やレンズの側面の厚み（コバ厚）に応じて多種類のレンズ保持治具を用意し、レンズ径やコバ厚に応じてレンズ保持治具を選択する必要があるため、設備費が嵩むと共に、管理が煩雑になるといった課題があった。また、近年、特注品レンズが多くなり、多品種、小ロットに対応するため、レンズ保持治具に装着されるレンズの充填率が低下する課題が顕著になっている。
こうした課題に対応するために、本出願人は、コイルバネからなり、レンズの左右両端縁を保持する側方保持部と、レンズの下側端縁を保持する下側保持部の少なくとも三箇所の保持部を備え、一枚のレンズ毎に独立して保持する毎葉式のレンズ保持治具を提案してきた（特許文献１参照）。
【０００４】
【特許文献１】特開２００４−２６８０１３号公報
【発明の開示】
【発明が解決しようとする課題】
【０００５】
このレンズ保持治具によれば、レンズ保持部がコイルバネで形成されていることで、レンズの形状、径、厚さ等の異なる多種類のレンズを、一種類のレンズ保持治具で保持することができる。また、一枚のレンズを保持する毎葉式であるため、レンズ保持治具で保持した多種類のレンズを、一つの搬送治具に吊して各種処理液等に浸漬することで、多品種、小ロットに対応することができる。
【０００６】
しかしながら、水分量が多い溶剤を用いた処理液を使用する際に、側方保持部が接する部分のレンズ表面に、ハジキ（プライマー液およびハードコート液の厚みが薄くなる現象、すなわち厚みムラ）が発生することが認められる。この現象は、処理液の水分量が多いことにより表面張力が高くなると共に、レンズとレンズ保持治具の接触面積が広いことにより、処理液から引き上げる際の表面張力により、レンズ保持治具側に引き寄せられる処理液の液量が増えるためと推測する。ハジキが発生すると、眼鏡フレームに枠入れ加工される玉型形状内にハジキ部分が入り込んでしまうため、レンズの外観品質が損なわれ、特に、凸レンズのレンズ全体を薄く削る楕円形の非円形レンズ等の場合には、玉型形状とレンズの縁との間の距離に余裕が少ないため、歩留まりを低下させる原因となっている。
すなわち、既存のレンズ保持治具のレンズ保持部、特に側方保持部を改良する必要があった。
【０００７】
本発明は、こうした事情に鑑みてなされたもので、レンズ保持部、特にレンズの左右両端縁を保持する側方保持部でのレンズ外観不良の発生を可及的に少なくすることができるレンズ保持治具を提供することを目的とする。
【課題を解決するための手段】
【０００８】
上記課題を解決するために、本発明のレンズ保持治具は、端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、前記側方保持部が、前記レンズの端縁を保持するＶ字状保持部と、前記Ｖ字状保持部を支持し前記Ｖ字状保持部から上下に延伸する上下延伸部とを有し、前記Ｖ字状保持部から前記上下延伸部までが下方に向かうよう構成され、前記上下延伸部が前記レンズの下方に向かうに従い、前記レンズのレンズ表面から離間することを特徴とする。
【０００９】
これによれば、レンズ保持治具のＶ字状保持部から上下延伸部までが、下方に向かうように形成されると共に、上下延伸部が下方に向かうにつれ、レンズのレンズ表面から離間することで、レンズ保持治具を液体中から引き上げる際に、Ｖ字状保持部に溜まった液体（処理液）が、レンズ表面を流れ落ちることなくＶ字状保持部と一体化された上下延伸部に沿って流れることにより、レンズの外観不良の発生を防止することができる。なお、本発明の保持部形状では、レンズと側方保持部（Ｖ字状保持部）の間に液体の膜が出来てしまうが、その膜が弾ける時に上下延伸部の下方部分の一部が液体中に浸漬されている状態にあるため、膜が上下延伸部に沿って液面側に引き寄せられ、レンズ表面に飛散しないことにより、外観品質欠点を発生させない。
【００１０】
また、本発明のレンズ保持治具は、前記Ｖ字状保持部と前記上下延伸部とが、ワイヤを折曲して一体に形成されていることを特徴とする。
これによれば、側方保持部のＶ字状保持部と上下延伸部とがワイヤを折曲して一体に形成されることによって、側方保持部は処理液の付着量が少なくなり、側方保持部に接触するレンズ端縁近傍を含むレンズ面に、均一な処理膜を形成することができる。
【００１１】
また、本発明のレンズ保持治具は、搬送治具に装着される搬送固定部と、前記搬送固定部に結合されている複数のアームにそれぞれ設けられている前記保持部で、一枚の前記レンズの端縁を支えて保持することを特徴とする。
これによれば、レンズ保持治具は、搬送治具に装着される搬送固定部と、搬送固定部に結合されている複数のアームにそれぞれ設けられている保持部で、一枚のレンズの端縁を支えてレンズを保持するので、毎葉式のレンズ保持治具に適用して、毎葉式のレンズ保持治具のレンズ外観不良の発生を可及的に抑制することができる。
【００１２】
また、本発明のレンズ保持治具は、前記レンズ保持部が、前記搬送固定部からコイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とする。
これによれば、レンズ保持部がコイルバネを有することでレンズの径の違いに対応できるので、レンズ径によらず、多種類のレンズを一種類のレンズ保持治具で保持することができる。
【００１３】
また、本発明のレンズ保持治具は、端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、前記下側保持部が、上端に前記レンズの端縁を支える切欠部を備え、上下方向に沿って配置されている支持板と、上下方向に沿って配置され、前記支持板と交差角度をもって一体化されている補助板とを備えることを特徴とする。
【００１４】
これによれば、レンズの下側端縁を保持する下側保持部として、上端にレンズの端縁を支える切欠部を備え、上下方向に沿って配置されている支持板と、上下方向に沿って配置され、支持板と交差角度をもって一体化されている補助板とを備える構成とすることにより、かかる下側保持部は、液切れがよいと共に、支持板と補助板とがある交差角度で交わる上下方向に延びる隅部には、液体が溜まり易い。そのため、支持板に補助板を設けた下側保持部は、支持板単独の下側保持部と比較して液体保持力が大きくなり、隅部に溜められた液体に下側保持部と接しているレンズ端縁近傍の表面にある液膜が引き寄せられて液溜まりが生じ難くなる。
【発明を実施するための最良の形態】
【００１５】
以下、本発明のレンズ保持治具の実施の形態を図面に基づいて説明する。
本発明のレンズ保持治具は、薄い側面（コバ）を有するレンズ又は刃先のように尖った端縁を有するレンズのハードコート膜形成等の浸漬処理のために用いられるものである。
【００１６】
側方保持部を改良した本発明のレンズ保持治具の実施形態を図１〜図４を参照しながら説明する。なお、このレンズ保持治具は、一例として毎葉式に適用した場合で示す。
図１は、端縁を上下方向に配置した、即ち縦にしたレンズを保持している本発明のレンズ保持治具を示す構成図であり、（ａ）は正面図、（ｂ）はレンズ保持部の下面図である。
【００１７】
図１において、レンズ保持治具１は、全体がステンレススチールで構成され、縦置きに配置されたレンズＬを保持するレンズ保持部２が、レンズ保持治具１全体を支え、搬送治具に装脱着自在に装着される搬送固定部３に結合されている構造を有する。
【００１８】
搬送固定部３は、後述する図３に示す搬送治具６００に装着して固定できるバネ部３００を有する。バネ部３００は、断面が円形の針金を鋭角に折曲してバネ状に形成され、対向する両先端縁に針金を円形の形状にした指掛け３０１，３０２が設けられている。バネ部３００の一部に外方に湾曲して突出した湾曲部３０３が形成されている。
【００１９】
レンズ保持部２は、鉛直方向に伸縮するバネ部３００の下端に溶接等で結合されている。レンズ保持部２は、先端部が自由端になっている第１アーム２１、第２アーム２２、第３アーム２３を有する。これらの第１アーム２１、第２アーム２２、第３アーム２３は、基本的に断面がほぼ円形の針金で構成されている。第１アーム２１、第２アーム２２および第３アーム２３を構成する針金の線径は、１．５ｍｍ〜２．５ｍｍ程度の細いものが用いられる。また、レンズ保持治具１は、第１アーム２１と第２アーム２２とが一本の針金を折曲して一体に形成され、第３アーム２３が第２アーム２２に接合されている構造となっている。
【００２０】
第１アーム２１は、バネ部３００に接合されている水平方向アーム２１１の一端縁から付勢手段としての第１コイルバネ２１２を介して水平方向から斜め下方へ鋭角に折り返されている。折り返されて図１の斜め右側（本明細書においては、左右は図面を基準としている）へ傾斜している第１傾斜部２１３は、レンズＬの右側端よりやや右側で上下方向よりやや内側に折曲され、垂直方向よりやや内側へ傾斜して延伸している第１鉛直部２１４となり、その先端がレンズＬの中央右端縁近傍に位置するようになっている。第１アーム２１の先端部はプレス等で扁平に形成されて取付部２１５が設けられ、取付部２１５には第１側方保持部４１の後述する接合部が接合されている。
【００２１】
第２アーム２２は、水平方向アーム２１１の一端縁から付勢手段としての第２コイルバネ２２１を介して水平方向から斜め下方へ鋭角に折り返されている。折り返されて図１の斜め左側へ傾斜している第２傾斜部２２２は、レンズＬの左側端よりやや左側で上下方向よりやや内側に折曲され、垂直方向よりやや内側へ傾斜して延伸している第２鉛直部２２３となり、その先端がレンズＬの中央左端縁近傍に位置するようになっている。第２アーム２２の先端部は、第１アーム２１同様、プレス等で扁平に形成されて取付部２２５が設けられ、取付部２２５には第２側方保持部４２の接合部が接合されている。
第１側方保持部４１ならびに第２側方保持部４２については、後で詳細に説明する。
【００２２】
第３アーム２３は、第２アーム２２の第２傾斜部２２２に並列し、第１アーム２１の第１傾斜部２１３を間に挟むように、第２傾斜部２２２と間隙をもって第２アーム２２の第２コイルバネ２２１近傍と第２傾斜部２２２の先端側にそれぞれ接合された第３傾斜部２３２を有する。第３傾斜部２３２は、第２アーム２２の第２鉛直部２２３よりやや外側で垂直方向へ折曲され、垂直方向よりやや内側へ傾斜して延伸している第３鉛直部２３３となっている。第３鉛直部２３３は更にレンズＬ斜め左下側でレンズＬに沿って折曲されて第４傾斜部２３４となる。第４傾斜部２３４はレンズＬの下側でレンズＬ端縁に沿って水平に近く屈曲されて第５傾斜部２３５となっている。さらに、第５傾斜部２３５の先端部はレンズＬ中心側に向かうようにほぼ垂直方向に折曲され、先端がプレス等で扁平に形成されていると共に、Ｖ字状の切欠部が設けられて下側保持部４３が形成されている。下側保持部４３は、レンズＬ下方の端縁のやや第２アーム２２寄りに位置するようになっている。
【００２３】
このレンズ保持治具１は、第１アーム２１の第１傾斜部２１３が、第２アーム２２の第２傾斜部２２２と第３アーム２３の第３傾斜部２３２と挟まれて交差している。これにより、第１アーム２１のレンズＬ端縁に対して離間接近する動きを、第２アーム２２の第２傾斜部２２２と第３アーム２３の第３傾斜部２３２がいわば案内として規制し、第１アーム２１の平面上の動きが、レンズＬの端縁とほぼ平行になることが確保されている。
【００２４】
次に、第１側方保持部４１および第２側方保持部４２の構成について図２を参照して説明する。図２は、図１における第１側方保持部４１の接合部を拡大した部分説明図であり、（ａ）は正面図、（ｂ）は右側面図、（ｃ）は上面図である。なお、第１側方保持部４１および第２側方保持部４２は、同一形状（保持されるレンズの鉛直中心線に対して対称形状）である。
【００２５】
第１側方保持部４１および第２側方保持部４２は、各々細いステンレススチールの丸棒材を折曲して全体が一体に形成されている。第１側方保持部４１は、第１アーム２１の取付部２１５に接合する垂直方向に延伸する接合部４０１を有している。
【００２６】
第１側方保持部４１は、接合部４０１の下端縁で、レンズＬの右端縁部（コバ面）側に、しかもレンズＬのレンズ面から離間する下方に折曲され、左側下方に傾斜して延伸する第１上下延伸部４０２が形成され、第１上下延伸部４０２からレンズＬのコバ面側に第１上下延伸部４０２に対してほぼ直角に折曲され、左側上方に傾斜して延伸する第２上下延伸部４０３が形成され、第２上下延伸部４０３からレンズＬのレンズ面側に上方に折曲され左側上方に傾斜して延伸し、レンズＬのコバ面に当接する第３上下延伸部４０４が形成されている。さらに、第３上下延伸部４０４からレンズＬのレンズ面側から離間する上方に折曲され左側上方に傾斜して延伸し、レンズＬのコバ面に当接する第４上下延伸部４０５が形成されている。この第３上下延伸部４０４と第４上下延伸部４０５とで形成されるＶ字状の折曲部が、レンズＬを保持するＶ字状保持部４０６を形成し、レンズＬの中央右端縁近傍に位置している。
【００２７】
すなわち、レンズＬはＶ字状保持部４０６により保持され、第４上下延伸部４０５およびＶ字状保持部４０６は下方へ傾斜して延伸する第３上下延伸部４０４によって支持され、第３上下延伸部４０４は下方に傾斜して延伸する第２上下延伸部４０３によって支持され、第２上下延伸部４０３は上方に傾斜して延伸する第１上下延伸部４０２によって支持され、第１上下延伸部４０２は接合部４０１によって支持されている。
【００２８】
したがって、第１側方保持部４１を形成する第１上下延伸部４０２〜第４上下延伸部４０５のすべての上下延伸部が鉛直方向に対して下方に傾斜して延伸している。また、Ｖ字状保持部４０６は、図２（ａ）、（ｃ）に示すように、レンズＬの端縁部（コバ面）に対して傾斜してレンズＬを保持し、Ｖ字状保持部４０６を形成する第４上下延伸部４０５はレンズＬの上方に向かうに従いレンズＬのレンズ表面から離間し、第３上下延伸部４０４はレンズＬの下方に向かうに従いレンズＬのレンズ表面から離間している。
【００２９】
次に、このレンズ保持治具１の使用方法について説明する。レンズＬをレンズ保持治具１に保持させる作業は、例えば、第１アーム２１の第２アーム２２と交差後の斜めになっている第１傾斜部２１３を第２アーム２２の第２コイルバネ２２１側に指で引き寄せて第１アーム２１を大きく開き、レンズＬの端縁を下側保持部４３と第２側方保持部４２（Ｖ字状保持部４０６）に当接させた後、第１コイルバネ２１２の付勢力に従って第１アーム２１の先端の第１側方保持部４１（Ｖ字状保持部４０６）をレンズＬ端縁に当接させるようにすればよい。
【００３０】
これにより、レンズＬは、図１（ａ）に示すように、レンズＬの水平中心線よりやや上の右側端縁を第１側方保持部４１が押圧し、レンズＬの水平中心線よりやや上の左側端縁を第２側方保持部４２が押圧し、下方の側面のレンズＬの垂直中心線よりやや左側の端縁を下側保持部４３が保持するため、これらの第１側方保持部４１、第２側方保持部４２、下側保持部４３の三点支持で保持される。なお、レンズＬは、第１側方保持部４１および第２側方保持部４２（第４上下延伸部４０５）の先端側を凸面側にしてセットするのが好ましい。これは、レンズ面を形成する凸面の曲率が大きな場合等に、レンズ保持治具１にレンズＬが取付け易いと共に、レンズ面にキズを付けることを少なくすることができる。
【００３１】
このレンズ保持治具１は、第１アーム２１が第１コイルバネ２１２を介して鋭角的に折り曲げられ、また、第２アーム２２が第２コイルバネ２２１を介して鋭角的に曲げられているため、第１側方保持部４１及び第２側方保持部４２のストロークが長く、可動範囲が広いため、広い範囲のレンズＬの外径に対応することができると共に、レンズＬを装着する作業中にレンズに傷を付けるおそれが少なくなっている。
【００３２】
このレンズ保持治具１は、複数個を図３（ａ）に示す搬送治具に搬送固定部３を装着して用いる。この搬送治具６００は、主軸棒６０１の両端縁に矩形板状の位置合わせ板６０２，６０３が軸方向と直交する方向でかつ水平方向に一体に設けられ、主軸棒６０１の位置合わせ板６０２，６０３より両側の内側に断面Ｖ字状の受け渡し板６０４が主軸棒６０１を下から挟むように一体に設けられている。さらに、主軸棒６０１の受け渡し板６０４の両側の内方には、鉛直方向の釣り棒６０５が一体に設けられ、この釣り棒６０５と一体に図３（ｂ）に示すような逆Ｖ字状の断面を有する装着部６０６が主軸棒６０１とほぼ平行に設けられている。この装着部６０６には、所定間隔毎に、図３（ｂ）に示すような垂直方向に細長い通し孔６０７が逆Ｖ字状の装着部６０６の両壁を水平方向に貫通して設けられている。
【００３３】
搬送固定部３のバネ部３００の上下の指掛け部３０１，３０２を親指と人差し指で挟んでバネ部３００を少し圧縮しながらバネ部３００の先端を搬送治具６００の通し孔６０７に差し込んで指を放すと、図３（ｂ）に示すように、バネ部３００の湾曲部３０３が逆Ｖ字状の両側の通し孔６０７の上端に圧着される。これにより、バネ部３００が上下に拡張しようとする付勢力で通し孔６０７の上下両端を圧着すると共に、湾曲部３０３の両端部が通し孔６０７の上端の内面を圧着するため、バネ部３００は通し孔６０７に装着される。装着されたバネ部３００は、ガタがないと共に、抜けることが無く、安定に保持される。装着部６０６からバネ部３００を抜くときには、両側の指掛け部３０１，３０２の間隔を狭めるようにバネ部３００の付勢力に逆らって力を加えて上下の幅を縮めると、バネ部３００は通し孔６０７から容易に抜け出す。このように、搬送固定部３は、搬送治具６００に装脱着自在になっている。
【００３４】
搬送治具６００の装着部６０６に複数のレンズ保持治具１の搬送固定部３を装着して吊すことにより、複数のレンズ保持治具１を一つの搬送治具６００でまとめて搬送することができる。複数のレンズ保持治具１を搬送治具６００に装着した状態で、レンズＬを処理液（プライマー液、およびハードコート液）中に浸漬し、所定時間後に引き上げられる。
【００３５】
なお、処理液は、ハードコート層の密着性を向上させるためのプライマー液として、各５％程度のポリエステル樹脂と酸化チタンの固形分に、６０％程度のメタノールと、３０％程度の水を溶媒とした処理液を用いた。また、ハードコート液として、各十数％程度のシランカップ剤と酸化チタンの主固形分に、６０％程度のメタノールと、数％の水を溶媒とした処理液を用いた。
【００３６】
レンズ保持治具１を処理液から引き上げる際に、レンズ保持治具１の第１アーム２１、第２アーム２２、第３アーム２３、第１側方保持部４１、第２側方保持部４２、下側保持部４３及びレンズＬに付着した処理液が流れ落ちる。このとき、第１側方保持部４１および第２側方保持部４２のＶ字状保持部４０６から第１上下延伸部までが下方に向かう形状に形成されていることにより、Ｖ字状保持部４０６と一体化された第３上下延伸部４０４および第２上下延伸部４０３を伝って下方に流れ落ちるため、液溜まりが発生せず、液がレンズＬ表面を流れ落ちることがない。
【００３７】
また、第３上下延伸部４０４がレンズＬの下方に向かうに従いレンズ表面から離間することで、レンズＬと側方保持部４１，４２の接触面積が少なく、処理液の水分量が多いにも係わらず、表面張力により側方保持部４１，４２に引き寄せられる処理液の液量が微少となり、ハジキ（処理液の厚みが薄くなる現象）にくくなる。
【００３８】
第３上下延伸部４０４および第２上下延伸部４０３は、Ｖ字状保持部４０６に溜まった液の排出路として機能するものであり、その長さは２ｍｍ以上あることが好ましい。
また、第１側方保持部４１および第２側方保持部４２を形成するワイヤの線径は、各保持部に引き寄せられる処理液の量を少なくするために、極力細いのが好ましい。また、各保持部は、別体で構成することも可能であるが、一本のワイヤを折曲して一体に形成することが好ましい。別体で構成すると溶接等で固定（結合）する必要があり、固定箇所に凹凸部ができることにより、処理液の流れを阻止する可能性がある。
【００３９】
そして、レンズ保持治具１を処理液から引き上げた後に、処理液の液切れを行い、乾燥炉等に搬送して乾燥させ、レンズＬのレンズ面にハードコート膜が形成される。
処理が行われたレンズ保持治具１は、第１アーム２１、第２アーム２２、第３アーム２３が断面が円形の針金で構成されることにより、表面積が最小となり、ハードコート液の付着量が少なく、しかも洗浄により付着物が簡単に脱離するため、容易に洗浄することができる。
【００４０】
このように、レンズ保持治具１を用いてレンズＬにハードコート液のディッピングを行った結果、従来のレンズ保持治具を用いた場合と比較してレンズＬ表面の流れムラによる外観不良が極めて少なくなったことが確認された。
【００４１】
以上の実施の形態において、プラスチックレンズのハードコート膜形成をディッピング法により行う場合を例示したが、処理液はハードコート液に限られない。
また、レンズ保持治具１が、円形のレンズＬを保持する場合を例にして説明したが、非円形レンズを保持する場合であっても良い。
【００４２】
また、下側保持部４３は、第３アーム２３（第５傾斜部２３５）の先端がプレス等で扁平に形成され、Ｖ字状の切欠部が設けられている場合で説明したが、別の下側保持部の形態であっても良い。図４（ａ）〜図４（ｄ）に、別の下側保持部の斜視図を示す。
【００４３】
図４（ａ）において、下側保持部１０は、支持板１１の両端縁に補助板１２を設けている構造となっている。支持板１１は、長辺が上下方向に沿った矩形状をしており、支持板１１の上端にレンズの側面の端縁や尖った端縁を支えるＶ字状の切欠部１１０を備える。また、支持板１１は、第３アーム２３の第５傾斜部２３５の先端部がレンズＬ中心側に向かうようにほぼ垂直方向に折曲され、プレス等で扁平に形成された取付部２３６に接合されている。この支持板１１とほぼ同じ長さと幅の矩形状の２枚の補助板１２が長辺が上下方向に沿って配置され、短辺が支持板１１に対して取付部２３６と反対側の直交方向に沿って支持板１１の両端縁に一体に設けられている。支持板１１と両側の補助板１２とは、水平断面がコ字状に形成されている。すなわち、支持板１１と両側の補助板１２とは、交差角度が略９０°に一体形成されている。これらの支持板１１と補助板１２は、板材を折曲して一体に形成されている。また、支持板１１と補助板１２は、薄いステンレススチール板で構成されている。
【００４４】
このように構成された下側保持部１０は、上下方向に液の流下を妨げる構造物がなく、浸漬後の液切れがよい。その一方で、支持板１１と補助板１２とが直交する角度で交わる上下方向に延びる隅部には、液体が溜まり易い。そのため、支持板１１に補助板１２を設けた下側保持部１０は、液体保持力が大きくなり、隅部に溜められた液体に下側保持部１０が接するレンズＬの端部の表面にある液膜が引き寄せられて液溜まりが生じ難くなるものと考えられる。また、この下側保持部１０は、板材を折曲して支持板１１と補助板１２とを一体に形成されている構造であるため、支持板１１に補助板１２を簡易に設けることができる。また、この補助板１２は、薄い板材の支持板１１を補強し、曲げ難くしている機能も有する。
【００４５】
また、図４（ｂ）に示す下側保持部１０ｂは、図４（ａ）に示したものとほぼ同じ構造であるが、支持板１１ｂよりも補助板１２ｂの方が長く、補助板１２ｂの下部が支持板１１ｂより下方へ突出している構造となっている。
【００４６】
また、図４（ｃ）に示す下側保持部１０ｃは、長辺が上下方向に沿って配置されている矩形状の支持板１１ｃの両端縁に、矩形状の２枚の補助板１２ｃの幅方向の中心線部分を接合したような形状で、支持板１１ｃと補助板１２ｃが水平断面が略Ｈ字状に組み合わされた構造である。この下側保持部１０ｃは、支持板１１ｃと補助板１２ｃが交わる隅部が４箇所に形成されているため、図４（ａ）に示した下側保持部１０よりも液体保持力が大きくなり、液溜まり現象の防止効果に優れている。
【００４７】
さらに、図４（ｄ）に示す下側保持部１０ｄは、基本的な構造は図４（ａ）に示したものと同じであるが、補助板１２ｄの上下方向に平行で全長に亘る複数のジグザグ状の屈曲を設けた構造となっている。この下側保持部１０ｄは、支持板１１ｄと補助板１２ｄとが交差する隅部に加えて、補助板１２ｄに設けられた上下方向の溝が液体を保持できるため、より液体保持力が大きくなり、液溜まり現象の防止効果に優れている。
【００４８】
また、下側保持部は、補助板をフィン状に多数設けるようにしても良く、あるいは支持板と補助板を四角筒状に形成するようにしても良い。さらに、支持板１１と補助板１２とが交わる隅部を形成できればよいため、支持板１１と補助板１２との交差角度は９０°に限られない。
【図面の簡単な説明】
【００４９】
【図１】本発明のレンズ保持治具を示す構成図であり、（ａ）は正面図、（ｂ）はレンズ保持部の下面図。
【図２】第１側方保持部の接合部を拡大した部分説明図で、（ａ）は正面図、（ｂ）は右側面図、（ｃ）は上面図。
【図３】搬送治具の一実施形態を示すもので、（ａ）は側面図、（ｂ）は装着部にバネ部を差し込んだ状態を示す断面図。
【図４】（ａ）〜（ｄ）は、別の下側保持部の斜視図。
【符号の説明】
【００５０】
１…レンズ保持治具、２…レンズ保持部、３…搬送固定部、１０，１０ｂ，１０ｃ，１０ｄ…下側保持部、１１…支持板、１２…補助板、２１…第１アーム、２２…第２アーム、２３…第３アーム、４１，４２…側方保持部、４３…下側保持部、４０１…接合部、４０２…第１上下延伸部、４０３…第２上下延伸部、４０４…Ｖ字状保持部を形成する第３上下延伸部、４０５…Ｖ字状保持部を形成する第４上下延伸部、４０６…Ｖ字状保持部、６００…搬送治具。
【図１】
2006199387.tif 000003
【図２】
2006199387.tif 000004
【図３】
2006199387.tif 000005
【図４】
2006199387.tif 000006